(57)【要約】【課題】釣り針に刺した餌を遠くに飛ばす際に、餌が千切れたり飛散することがないようにした遠投用釣具を提供する。また、遠くへ投げることが困難なカニ網等を遠投できるようにした遠投用釣具を提供する。【解決手段】釣り用仕掛けに用いるオモリ１の端部に環状部材２ａを固設し、オモリ１の本体２に餌３を収容するために開口した凹部４を形成すると共に、凹部４の内方において横穴方向に窪んだ窪み部５を形成してなる。また、釣り用仕掛けに用いる飛ばし浮き１１の端部に環状部材２ａを固設し、飛ばし浮き１１の本体２に餌３を収容するために開口した凹部４を形成すると共に、凹部４の内方において横穴方向に窪んだ窪み部５を形成してなる。さらに、網用オモリ１２の端部に環状部材２ａを固設し、網用オモリ１２の本体２に網１３を丸めて収容するために開口した凹部４を形成すると共に、凹部４の内方において横穴方向に窪んだ窪み部５を形成してなる。【選択図】図１
0003134252.tif 000002
【実用新案登録請求の範囲】
【請求項１】
釣り用仕掛けに用いるオモリの本体に餌を収容するために開口した凹部を形成すると共に、凹部の内方において横穴方向に窪んだ窪み部を形成してなることを特徴とする遠投用釣具。
【請求項２】
釣り用仕掛けに用いる飛ばし浮きの本体に餌を収容するために開口した凹部を形成すると共に、凹部の内方において横穴方向に窪んだ窪み部を形成してなることを特徴とする遠投用釣具。
【請求項３】
網用オモリの本体に網を丸めて収容するために開口した凹部を形成すると共に、凹部の内方において横穴方向に窪んだ窪み部を形成してなることを特徴とする遠投用釣具。
【考案の詳細な説明】
【技術分野】
【０００１】
本考案は、投釣りの際に、仕掛けた生餌が千切れたり、落下することがないようにし、またそのような仕掛けや網等を遠くへ飛ばすことができる遠投用釣具に関する。
【背景技術】
【０００２】
近年、釣り竿の性能が向上し、飛距離が２００メートル以上を可能とした竿が開発され、釣果が期待されるところであるが、青イソメ等の生餌を使用した仕掛けを遠くへ飛ばすと、これらの生餌が針から千切れてしまい、期待したほどの釣果が得られないという不都合があった。
【０００３】
そこで、従来から開発されてきた技術として、特許文献１を参照する。この文献の「餌ケース付き投釣り用遠投オモリ」は、頭部にオモリ、尾部にヨリモドシを設けてなる円筒形の樹脂製ボディに餌を収容可能とした切込みを設け、この切込みを羽根蓋で被せた状態にするものである。また、羽根蓋はシャフト軸で開閉自在とし、羽根蓋に設けた粘土ピン用の穴に粘土ピンを立て、この粘土ピンの左右から２本の輪ゴム等の伸縮紐を引掛けて閉じた状態にして投げるものである。
【０００４】
ところで、上記の羽根蓋を閉じた状態に保つのは、伸縮紐を支持する粘土ピンが水中で溶けることによって伸縮紐が外れ、羽根蓋が開放可能にされるものであるが、伸縮紐が外れても、羽根蓋を強制的に開く構造を有するものではないため、仕掛けを遠方に投げたものの羽根蓋が開かず、餌や仕掛けが羽根蓋の内部に収容されたままの状態となるおそれがある。
【０００５】
また、特許文献２には、「投げ釣り用の餌収納型オモリ」が記載されている。ところがこの文献においても、オモリに餌を入れるスペースが形成され、このスペースに餌を収容した後にはスペースを蓋で閉じるようにしたものである。また、この蓋を閉じる構造は、オモリの重心側に設けられた穴に蓋の一端に設けられた突起物を差し込んで閉じると共に、蓋の他端に設けられた突起をオモリのスペースの裏側の凹みに係止する構成とされ、蓋を閉じる際に糸を蓋の凹みに通して止めておくようにする。そして、このオモリを投げ飛ばして海中に着水した後は、糸が自然に緩んで蓋が外れるとされているが、着水後に蓋が開いて餌を入れたスペースが確実に開放されるという構造を有するものではなく、着水後に蓋が開かなければ、餌のみならず、餌をつけた針も蓋の外に出ないおそれがある。
【特許文献１】実開平５−８２２８８号公報
【特許文献２】特開２００２−１４２６３１号公報
【考案の開示】
【考案が解決しようとする課題】
【０００６】
上記の文献の内容は、いずれもオモリに凹部を設け、この凹部に蓋を開閉自在に取り付けた点で共通するものであるが、着水後に蓋を開く構造に難点があり、着水後に蓋が開いたか否かについては、当然、陸地にいる釣り人には確認ができず、安心して使用できるというものではなかった。
【０００７】
本考案は、上記の事情に鑑みてなされたもので、オモリに設けた凹みに餌を入れて、この凹みに蓋をする構造を採用せずに、遠くに飛ばした際に、仕掛けの餌が千切れたり飛散することがないようにした遠投用釣具を提供することを目的とする。
【０００８】
また、本考案は、遠くへ投げることが困難なカニ網等を遠投できるようにした遠投用釣具を提供することを目的とする。
【課題を解決するための手段】
【０００９】
上記の目的を達成するために、本考案の請求項１の遠投用釣具は、釣り用仕掛けに用いるオモリの本体に餌を収容するために開口した凹部を形成すると共に、凹部の内方において横穴方向に窪んだ窪み部を形成してなることを特徴とする。
【００１０】
また、本考案の請求項２の遠投用釣具は、釣り用仕掛けに用いる飛ばし浮きの本体に餌を収容するために開口した凹部を形成すると共に、凹部の内方において横穴方向に窪んだ窪み部を形成してなることを特徴とする。
【００１１】
さらに、本考案の請求項３の遠投用釣具は、網用オモリの本体に網を丸めて収容するために開口した凹部を形成すると共に、凹部の内方において横穴方向に窪んだ窪み部を形成してなることを特徴とする。
【考案の効果】
【００１２】
以上のように構成された本考案において、請求項１の遠投用釣具はオモリに関するものであり、請求項２の遠投用釣具は飛ばし浮きに関するものであるが、いずれも釣り用仕掛けに設けるための遠投用釣具であり、針に刺した餌と共に遠方へ投げ飛ばすものであって、オモリ又は飛ばし浮きの本体に設けた凹部にオキアミや青イソメ等の生餌を収容すると、凹部の内方において横穴方向に窪んだ窪み部に餌が固まった状態で収容されるため、飛行中に遠心力が作用している間は凹部の餌は外方へ零れることなく飛行する。また、この凹部内の餌に釣針に刺した餌を押し込んでおくことによって、遠投を行った際、釣針に刺した餌は凹部内に他の餌と共に収容された状態を保つことができる。
【００１３】
さらに、オモリ又は飛ばし浮きが着水した後は、着水時の衝撃や水圧等で、釣針に刺した餌が凹部から離れ、凹部内に水分が浸入することによって、生餌の場合は、餌自身が動き出し、凹部の開口から水中へ移動することとなる。また、オモリの凹部内に収容した餌が冷凍オキアミ等であって生餌でない場合も、上記のように着水時の衝撃や水圧によって釣針に刺した餌がオモリの内部から離れ、さらにオモリの凹部内に水分が浸入することによってほぐされ、餌の浮力等によって水中へ移動することとなる。
【００１４】
さらに、請求項３の遠投用釣具は、網用オモリに設けた凹部に丸めた網を収容して遠方へ投げ込む際に使用するものであり、上記の構成と同様に、オモリの本体に開口した凹部を形成すると共に、凹部の内方において横穴方向に窪んだ窪み部を形成してなるものである。このような網用オモリの凹部にカニ用網等を丸めた状態で収容すると、丸めた網が凹部の奥の窪み部まで収容されるため、網は確実に保持され、また網用オモリを投げ飛ばした際に遠心力が作用している間、網は凹部から外方へこぼれることなく飛行する。さらに、網用オモリが着水した後、凹部内の網は、着水時の衝撃や網の浮力等で凹部の開口から外方へ出て、網の浮力によって広がりながら仕掛けられることとなる。
【００１５】
従って、従来のように網だけを投げた場合、その飛距離は限られていたのであるが、本考案のように網用オモリの凹部に収容した状態で網を投げることができるため、従来に比してかなり遠方まで飛ばすことが可能となる。
【考案を実施するための最良の形態】
【００１６】
以下、本考案の実施例について図面を参照しながら説明する。
【実施例１】
【００１７】
本実施例の遠投用釣具は図１に示すように、釣り用の仕掛けに用いるオモリ１に関するものである。その構成は、図２(ａ)(ｂ)に示すように、鋳物、鉛、その他の金属等からなるナス形状のオモリ１の端部に金具製環状部材２ａを固設し、オモリ１の本体２に餌３を収容するために開口した凹部４を形成すると共に、凹部４の内方において横穴方向に窪んだ窪み部５を形成してなるものである。
【００１８】
このようなオモリ１において、オモリ１の端部に固設した環状部材２ａは、図１に示すような仕掛けのテンビン６等に接続し、テンビン６の一端には釣竿７から導かれた道糸８をヨリモドシ９を介して接続すると共に、テンビン６の他端にはヨリモドシ９を介してハリス１０を接続してある。
【００１９】
本実施例においては、オモリ１の凹部４にオキアミや青イソメ等の生餌３を収容すると、凹部４の内方において横穴方向に窪んだ窪み部５に餌３が固まった状態で収容されるため、餌３は窪み部５で確実に保持される。また、オモリ１を投げ飛ばした際に遠心力が作用している間、凹部４の餌３は外方へ零れることなく飛行する。また、図１に示すように、オモリ１の凹部４内の餌３に、釣針１４に刺した餌３を押し込んでおくことによって、遠投を行った際、釣針１４に刺した餌３はオモリ１の凹部４内に他の餌３と共に収容された状態を保つことが可能となる。
【００２０】
さらに、オモリ１が着水した後は、着水時の衝撃や水中を進入する際の水圧等で、釣針１４に刺した餌３がオモリ１の凹部４から離れ、さらにオモリ１の凹部４内に水分が浸入することによって、生餌３の場合は、餌３自身が動き出し、凹部４の開口から水中へ移動することとなる。また、オモリ１の凹部４内に収容した餌３が冷凍オキアミ等であって生餌３でない場合も、上記のように着水時の衝撃や水中を進入しているときの圧力によって釣針１４に刺した餌３がオモリ１の内部から離れ、さらにオモリ１の凹部４内に水分が浸入することによってほぐされ、餌３自身の浮力や水圧等によってオモリ１の凹部４内から水中へ移動することとなる。
【実施例２】
【００２１】
本実施例の遠投用釣具は、釣り用の仕掛けに用いる飛ばし浮きに関するものである。その構成は、図３(ａ)(ｂ)に示すように、飛ばし浮き１１の端部に金属製環状部材２ａを固設し、飛ばし浮き１１の本体２に餌３を収容するために開口した凹部４を形成すると共に、凹部４の内方において横穴方向に窪んだ窪み部５（点線で示す）を形成してなるものである。このような飛ばし浮き１１は、浮力を発揮しうる木製又は合成樹脂製等からなり、この飛ばし浮き１１の端部に浮用オモリ１５を固設し、この浮用オモリ１５に取り付けた環状部材２ａを道糸の途中にヨリモドシ９を介して接続する。
【００２２】
本実施例においては、飛ばし浮き１１の凹部４にオキアミや青イソメ等の生餌３を収容すると、上記と同様に、凹部４の内方において横穴方向に窪んだ窪み部５に餌３が固まった状態で収容されるため、餌３は窪み部５で確実に保持される。また、飛ばし浮き１１を投げ飛ばした際に遠心力が作用している間、凹部４の餌３は外方へ零れることなく飛行する。また、この凹部４内の餌３に、図１と同様に、釣針１４に刺した餌３を押し込んでおくことによって、遠投を行った際、釣針１４に刺した餌３はオモリ１の凹部４内に他の餌３と共に収容された状態を保つことができる。
【００２３】
さらに、飛ばし浮き１１が着水した後は、着水時の衝撃や波の上で浮遊している最中に、釣針に刺した餌３が飛ばし浮き１１の凹部４から離れ、さらに飛ばし浮き１１の凹部４内に水分が浸入することによって、生餌３の場合は、餌３自身が動き出し、凹部４の開口から水中へ移動することとなる。また、飛ばし浮き１１の凹部４内に収容した餌３が冷凍オキアミ等であって生餌３でない場合も、上記のように着水時の衝撃や波の上で浮遊している最中に、釣針１４に刺した餌３が飛ばし浮き１１の凹部４から離れ、さらに飛ばし浮き１１の凹部４に水分が浸入することによってほぐされ、餌３自身の浮力や水圧等によってオモリ１の内部から水中へ移動することとなる。
【実施例３】
【００２４】
さらに、本実施例の遠投用釣具は、図４(ａ)(ｂ)に示すように、カニ網等の網用オモリ１２に設けた凹部４に丸めた網１３を収容して網用オモリ１２ごと遠方へ投げることができるようにしたものである。その構成は、合成樹脂、アルミニウム等から構成したカニ網等の網用オモリ１２の端部に環状部材２ａを固設し、オモリ１の本体２に網１３を丸めて収容するために開口した凹部４を形成すると共に、凹部４の内方において横穴方向に窪んだ窪み部５（点線で示す）を形成してなるものである。
【００２５】
このような網用オモリ１２の凹部４にカニ用網１３等を丸めた状態で収容すると、凹部４及び窪み部５に丸めた網１３が収容されるため、網１３は確実に保持され、また網用オモリ１２を投げ飛ばした際に遠心力が作用している間、凹部４の網１３は外方へ零れることなく飛行する。さらに、網用オモリ１２が着水した後、凹部４及び窪み部５内の網１３は、着水時の衝撃や網１３の浮力等で凹部４の開口から外方へ出て、網１３の浮力によって広がりながら仕掛けられることとなる。
【００２６】
なお、従来において、網１３だけを投げ飛ばした場合、その飛距離は限られていたのであるが、本実施例のように網用オモリ１２の凹部４に収容した状態で網１３を投げることができるため、従来に比してかなり遠方まで飛ばすことが可能となる。
【産業上の利用可能性】
【００２７】
本考案の遠投用釣具は、オモリや飛ばし浮きに設けた凹みに餌を入れ、遠くに飛ばした際に、仕掛けの餌が千切れたり飛散することがないようにした遠投用釣具として利用可能であり、また遠くへ投げ飛ばすことが困難なカニ網等を遠投できるようにした遠投用釣具として利用可能である。
【図面の簡単な説明】
【００２８】
【図１】本考案に係る遠投用釣具に係るオモリを仕掛けに取り付けた状況を示す全体図である。
【図２】(ａ)は本考案に係る遠投用釣具に係るオモリの正面図であり、(ｂ)は縦断面図である。
【図３】(ａ)は本考案に係る遠投用釣具に係る飛ばし浮きの正面図であり、(ｂ)は側面図である。
【図４】(ａ)は本考案に係る遠投用釣具に係る網用オモリの正面図であり、(ｂ)は側面図である。
【符号の説明】
【００２９】
１  オモリ
２  本体
２ａ  環状部材
３  餌（生餌）
４  凹部
５  窪み部
６  テンビン
７  釣竿
８  道糸
９  ヨリモドシ
１０  ハリス
１１  飛ばし浮き
１２  網用オモリ
１３  網（カニ網）
１３ａ  網糸
１４  釣針
１５  浮用オモリ
【図１】
0003134252.tif 000003
【図２】
0003134252.tif 000004
【図３】
0003134252.tif 000005
【図４】
0003134252.tif 000006